【事件の表示】
　上記当事者間の特許第４１６５９８０号発明「情報記録ディスクの収納ケース」の特許無効審判事件について、次のとおり審決する。
【結　論】
　特許第４１６５９８０号の請求項１ないし３に係る発明についての特許を無効とする。
　審判費用は、被請求人の負担とする。
【理　由】
第１　手続の経緯 
（１）本件特許第４１６５９８０号に係る発明は，平成１１年１２月２０日に出願され，平成２０年８月８日に特許権の設定登録がなされた。
　
（２）これに対し，請求人不二精機株式会社（以下，単に「請求人」という）は，平成２１年４月１５日に本件特許無効審判を請求した。
　
（３）当審において，平成２１年５月２２日付けで，被請求人明晃化成工業株式会社（以下，単に「被請求人」という）に対して，審判請求書の副本を送達（送達日：同月２７日）し，期間を指定して答弁書を提出する機会を与えたが，被請求人からは何らの応答もなかった。
　
第２　本件特許発明 
　本件特許の請求項１ないし３に係る発明（以下，「本件特許発明１」ないし「本件特許発明３」という）は，登録時の明細書（以下，「本件明細書」という。）の特許請求の範囲の請求項１ないし３に記載された事項により特定される，次のとおりのものと認める。 
　「【請求項１】情報記録ディスク（１００）の有機色素が塗布された情報記録面（１０２）側を覆う第１ケース体（２）と，この第１ケース体（２）との間に情報記録ディスク（１００）を収納すべく前記情報記録面の反対面を覆う第２ケース体（３）とを有しており，前記第１ケース体（２）及び第２ケース体（３）は共に透明な材料によって形成され，前記第１ケース体（２）の内面（２ｂ）に，情報記録ディスク（１００）の中央孔（１０１）に嵌る保持部（５）と，この保持部（５）を囲むリング形状となって隆起した中央載置部（６）と，この中央載置部（６）を囲むリング形状となって隆起した外周載置部（７）と，情報記録ディスク（１００）の外周面を覆う部分に突出形成した円弧状壁（２３）と，周縁部に突出形成した周壁（２２）とが設けられ，前記第１ケース体（２）の内面（２ｂ）又は外面（２ｃ）には，前記情報記録ディスク（１００）の有機色素が塗布された情報記録面（１０２）に当たる光を実質的に減少させるための微細な凹凸が形成されていることを特徴とする情報記録ディスクの収納ケース。
　【請求項２】前記第１ケース体（２）及び第２ケース体（３）は共に有色透明材料によって形成されていることを特徴とする請求項１記載の情報記録ディスクの収納ケース。
　【請求項３】前記凹凸は，第１ケース体（２）を成形するための成形型に形成された凹凸が転写されたものであることを特徴とする請求項１又は２記載の情報記録ディスクの収納ケース。」
　
第３　請求人の主張 
１．請求の趣旨及び理由
　請求人は，審判請求書において，「特許第４１６５９８０号発明は，これを無効とする。審判費用は被請求人の負担とする。」との審決を求め，その理由として次のように主張している。
　
（１）無効理由１
　請求項１ないし２に係る特許発明は，甲第１号証及び甲第２号証に記載された発明に基づいて，出願前に当業者が容易に発明をすることができたものであるから，特許法第２９条第２項の規定により特許を受けることができないものであり，その特許は，同法第１２３条第１項第２号に該当し，無効とすべきである。また，請求項３に係る特許発明は，甲第１号証及び甲第２号証に記載された発明及び甲第３号証から甲第７号証において示される周知技術に基づいて，出願前に当業者が容易に発明をすることができたものであるから，特許法第２９条第２項の規定により特許を受けることができないものであり，その特許は，同法第１２３条第１項第２号に該当し，無効とすべきである。
　
（２）無効理由２
　請求項１記載の発明特定事項のうち，「有機色素が塗布された情報記録面（１０２）に当たる光を実質的に減少させるための微細な凹凸が形成されている」との記載は，特許を受けようとする発明が明確でないから，特許法第３６条第６項第２号の規定により特許を受けることができないものであり，その特許は，同法第１２３条第１項第４号に該当し，無効とすべきである。
　
２．証拠方法 
　請求人は上記主張を立証するため，次の証拠方法を提出している。 
（１）甲第１号証；国際公開ＷＯ９９／４６１８５号
（２）甲第２号証；特開平１０−３０５８９１公報
（３）甲第３号証；特開昭６３−１６２４５４号公報
（４）甲第４号証；特開平１０−３１０１８７号公報
（５）甲第５号証：特開平７−１４８０１６号公報
（６）甲第６号証；特開平７−６８５９９号公報
（７）甲第７号証；「モールダーのための射出成形品の設計―射出成型材料・射出成形機・射出金型・後加工―」（森隆著）抜粋
（８）甲第８号証；「図解　プラスチック用語辞典（第２版）」（牧廣他編）抜粋
（９）甲第９号証；「デジタル用語辞典（２００２−２００３年度版）」（日経ＢＰ社出版局編）抜粋
（１０）甲第１０号証；「広辞苑（第６版）」抜粋
　
第４　当審の判断 
１．無効理由２について
　本件明細書には，以下の事項が記載されている。
（イ）「【０００４】
　一方，ＣＤ−Ｒは，記録面に有機色素が塗布され，ユーザがＣＤ−Ｒドライブを用いて記録面にレーザ光線を当ててピットを刻むことで，データを書き込むものである。
　このようにレーザ光線を用いてデータの記録が行われるＣＤ−Ｒにおいては，記録面にはできるだけ不必要な光が当たらないほうが良い。すなわち，記録面にＵＶ等の光が当たると記録面の色素が悪影響を受け，データ破壊が生じるおそれがある。
【０００５】
【発明が解決しようとする課題】
　ここで，従来技術１の収納ケース（底体とカバー体がともに透明プラスチック）では，ケースが透明であるから記録面に当たる光を遮ることはできず，ＣＤ−Ｒにとって好適な保存環境とはいえない。」
　
（ロ）「【０００８】
　この構成によれば，透明な第２ケース体からは中の情報記録ディスク等が見える一方，光を実質的に減少させるための凹凸が形成されている第１ケース体は光があまり透過しない。したがって，情報記録ディスクの有機色素が塗布された情報記録面に当たる光を実質的に減少でき，記録面には光があまり当たらず，情報記録ディスクにとって良好な保存環境が得られる。
　しかも，第１ケース体も第２ケース体も共に透明な材料で形成されているので，製造コストは従来技術１と同程度ですむ。」
　
（ハ）「【００２１】
　この凹凸は，すりガラスに見られるような非常に微細な凹凸として形成するのが好ましい。また，微細さを高めれば不透明に近づけることができるが，特に，すりガラス程度まである必要はなく，もっと粗い凹凸であってもよい。すなわち，底体２を光透過性が実質的に低下する程度の凹凸が形成されていればよい。」
　
　上記記載事項（イ）及び（ロ）によれば，本件特許発明１は，「第１ケース体（２）及び第２ケース体（３）は共に透明な材料によって形成され」との要件により，第１ケース体（２）及び第２ケース体（３）の製造コストを抑え，第１ケース体（２）が透明な材料によって形成されるものでありながら，情報記録ディスクの有機色素が塗布された情報記録面にできるだけ不必要な光が当たらないよう，情報記録ディスクにとって良好な保存環境を得るために，「第１ケース体（２）の内面（２ｂ）又は外面（２ｃ）には，前記情報記録ディスク（１００）の有機色素が塗布された情報記録面（１０２）に当たる光を実質的に減少させるための微細な凹凸が形成されている」との要件を備えるものであるということができる。本件特許発明１が，情報記録面（１０２）に当たる光を具体的にどれだけ減少させるかを課題とした発明でないことは，上記記載事項（ハ）からも明らかである。したがって，請求項１において，「実質的に」なる表現が用いられていることや，情報記録面（１０２）に当たる光を減少させる程度が具体的な数値をもって記載されていないからといって，本件特許発明１が不明確であるとするのは適当ではない。また，他に，本件特許発明１が不明確であるとする理由もないから，本件特許発明１が特許法第３６条第６項第２号の規定により特許を受けることができないものであるとする請求人の主張は採用できない。
　
２．無効理由１について
（１）刊行物に記載された事項
（ａ）甲第１号証
　請求人が甲第１号証として提出した，本件特許の出願前に頒布された刊行物である，国際公開ＷＯ９９／４６１８５号には，図面とともに次の事項が記載されている。 
（ａ−１）
　「本発明は，音楽，映像及びコンピュータ等に使用される光学的に読み取られるデジタル情報を記録した記録媒体用ディスクを収納するための収納ケースに関するものである。」（第１頁４〜６行）
（ａ−２）
　「図１及び図２に示すように，本発明に係る収納ケース１は，保持板２とカバー体３とが，それぞれの一端側に設けられたヒンジ部２ａ，３ａを介して互いに揺動開閉自在に連結されたもので，これら保持板２とカバー体３とによって，記録媒体用ディスク１００の両面を覆う収納状態とできるようになっている。これら保持板２やカバー体３は，それぞれ透明樹脂や不透明樹脂等により形成されている。
　保持板２には，その板面の略中央部に，ディスク１００の中央孔１０１に嵌まる保持部５が設けられている。また保持板２には，前記保持部５を囲むリング形状となって隆起した中央載置部６と，更にこの中央載置部６の外側を囲むリング形状となって隆起した外周載置部７とが設けられている。
　これら中央及び外周載置部６，７は，図３に示すように，ディスク１００の記録面１０２側に対し，その記録領域（図示は省略するが，ディスク１００の中心付近及び外周付近を除いたドーナツ状の領域となっている）を除く部分に当接可能となるものである。」（第８頁１７行〜第９頁１行）
（ａ−３）
　「前記保持板２上面の周縁部には，所定厚みの周壁２２が突出成形されている。また，前記保持板上面には，ディスク１００の外周面を覆う部分に，所定厚みの円弧状壁２３が突出形成されている。これらのリブ２０，２１，周壁２２，及び，円弧状壁２３は，保持板２の補強部材としての作用を発揮し，保持板２の厚みを薄くしている。」（第１１頁２６〜２８行）
（ａ−４）
　「図１４〜１６に示すように，前記保持板２には，前記係合凹部２８に連通する厚み方向に貫通した連通孔２９が設けられている。このような連通孔２９を保持板２に設けることにより，保持板成形用金型を上下２分割の型とすることができる。」（第１２頁１０〜１１行）
（ａ−５）
　「本発明の記録媒体用ディスクの収納ケースは，コンピュータ関連，ゲームソフト関連，音楽関連，映画ビデオ関連等のＣＤを収納するケースとして最適である。」（第１８頁１２〜１３行」）
（ａ−６）
　図２６を参照すると，中央載置部６及び外周載置部７は，円弧状壁２３及び周壁２２と同じく，保持板２の上面に設けられることが見てとれる。
　以上のことを総合すると，甲第１号証には，次の発明（以下，「甲１発明」という）が記載されているといえる。
　「音楽，映像及びコンピュータ等に使用される光学的に読み取られるデジタル情報を記録した記録媒体用ディスク１００を収納するための収納ケースであって，透明樹脂により形成された保持板２とカバー体３とが連結されてなり，保持板２とカバー体３とによって記録媒体用ディスク１００の両面を覆う収納状態とすることができるもので，保持板２の上面には，記録媒体用ディスク１００の中央孔１０１に嵌まる保持部５と，保持部５を囲むリング形状となって隆起した中央載置部６と，中央載置部６の外側を囲むリング形状となって隆起した外周載置部７と，ディスク１００の外周面を覆う部分に突出形成された円弧状壁２３と，周縁部に突出成形された周壁２２とが設けられ，中央載置部６と外周載置部７は，記録媒体用ディスク１００の記録面１０２側に対し，その記録領域を除く部分に当接可能であり，少なくとも保持板２は金型を用いて成形される収納ケース。」
　
（ｂ）甲第２号証
　請求人が甲第２号証として提出した，本件特許の出願前に頒布された刊行物である，特開平１０−３０５８９１公報には，図面とともに次の事項が記載されている。
（ｂ−１）
　「【発明の属する技術分野】本発明は，例えばＣＤ，ＣＤ−Ｒ，ＣＤ−ＲＯＭ，ＤＶＤ，ＤＶＤ−ＶＩＤＥＯ，ＤＶＤ−ＡＵＤＩＯ，ＤＶＤ−ＲＯＭ，ＤＶＤ−Ｒ，ＤＶＤ−ＲＡＭ等の各種光ディスクを収納するディスクケースおよびそのパッケージング方法に関する。」（段落【０００１】）
（ｂ−２）
　「また，ケース本体２，特に底板３を透明（無色透明）または半透明（有色透明）な樹脂材料で構成することもできる。この場合には，底板３の上面または下面のいずれか一方または両方が粗面化されているのが好ましい。これにより，外光が底板３に侵入し透過する際に，粗面により散乱されるので，光ディスクへの照射光量が減少し，前記と同様，光ディスクの記録面の保護等に寄与する。」（段落【００５８】）
（ｂ−３）
　「このような蓋体８は，内部に装填されたブックレット等の視認性を確保するために，透明（無色透明）または半透明（有色透明）な樹脂材料で構成されているのが好ましい。」（段落【００６８】）
　
（ｃ）甲第３号証
　請求人が甲第３号証として提出した，本件特許の出願前に頒布された刊行物である，特開昭６３−１６２４５４号公報には，図面とともに次の事項が記載されている。 
（ｃ−１）
　「前記凹凸面の形成及び白化の形成がブロー成形用金型内の粗面によって現出されている特許請求の範囲第（１）項記載のポリエステル樹脂容器。」（特許請求の範囲第２項）
（ｃ−２）
　「この本実施例はブロー成形用金型内を凹凸面に加工し，その凹凸面によって表面が凹凸面になったポリエステル樹脂容器であって，従来品に比べて約６０％遮光されている。」（２頁左下欄下から２行〜同頁右下欄２行）
　
（ｄ）甲第４号証
　請求人が甲第４号証として提出した，本件特許の出願前に頒布された刊行物である，特開平１０−３１０１８７号公報には，図面とともに次の事項が記載されている。
（ｄ−１）
　「また，下ケース２の内面側であって開口部５との対向領域には，表面粗さを他の領域より粗くした粗面部６が形成されている。粗面部６は，金型面にシボ加工を施すことにより形成することができるが，例えば下ケース２の成形後に後加工で形成しても良い。」（段落【００１１】）
　
（ｅ）甲第５号証
　請求人が甲第５号証として提出した，本件特許の出願前に頒布された刊行物である，特開平７−１４８０１６号公報には，図面とともに次の事項が記載されている。 
（ｅ−１）
　「かかるシボ模様１０は，容器本体４の成形と同時に，或いはその成形後に，公知の手法に従って形成されることとなるが，有利には，所定のシボ模様を成形金型の製品面に付与しておき，所定の合成樹脂材料の成形時に，成形金型のシボ面が得られる成形品の表面に転写されて，製品にシボ面が形成される手法が採用される。」（段落【００１８】）
（ｅ−２）
　「この容器本体４の内面に形成されるシボ模様１０におけるシボ（凹凸）の平均深さ（ｄ）としては，一般に，１０〜１００μｍ程度，望ましくは２０〜７０μｍ程度とされる。」（段落【００２０】）
　
（ｆ）甲第６号証
　請求人が甲第６号証として提出した，本件特許の出願前に頒布された刊行物である，特開平７−６８５９９号公報には，図面とともに次の事項が記載されている。
（ｆ−１）
　「表面にシボ面を形成するフロッピーデイスクのケースハーフ成形用金型において」（【請求項１】）
（ｆ−２）
　「そしてケースハーフ１の表面にはシボ加工が施されたラベル面２が形成されており，該ラベル面２にシボ加工を施すことによって図示しないラベルを容易に貼ることができるようになっている。」（段落【０００２】）
（ｆ−３）
　「ところで，前記ケースハーフ１の成形用金型における前記ラベル面２を成形する部分にはシボ加工面が形成される。」（段落【０００３】）
　
（ｇ）甲第７号証
　請求人が甲第７号証として提出した，本件特許の出願日よりも前の平成元年１２月２０日に発行されたと認められる刊行物である「モールダーのための射出成形品の設計―射出成型材料・射出成形機・射出金型・後加工―」（森隆著）の抜粋によれば，同刊行物には，次の事項が記載されている。
（ｇ−１）
　「そのため，ここに新たな形式により最近の技術の進歩を含めたプラスチック射出成形品の設計に関する基礎的に必要な条件をまとめて本書を執筆した。」（「まえがき」２２〜２４行）
（ｇ−２）
　「射出成形品の表面をなし地にしたり，皮しぼ等のしぼ付けすることが要求されることがある。この場合，金型表面をこれ等の処理をすることが必要になる。」（８２頁２８〜３０行）
　
（ｈ）甲第８号証
　請求人が甲第８号証として提出した，本件特許の出願日よりも前の１９９４年１１月２７日に発行されたと認められる刊行物である「図解　プラスチック用語辞典（第２版）」（牧廣他編）の抜粋によれば，同刊行物には，次の事項が記載されている。
（ｈ−１）
　「しぼ加工　texturing 成形品しぼをつけるため，金型あるいは工具の表面にしぼ地を加工する作業」（３３８頁１８〜１９行）
　
（ｉ）甲第９号証の１，甲第９号証の２
　請求人が甲第９号証の１及び甲第９号証の２として提出した，２００２年３月１８日に発行されたと認められる刊行物である「デジタル用語辞典（２００２−２００３年度版）」（日経ＢＰ社出版局編）の抜粋によれば，同刊行物には，次の事項が記載されている。 
（ｉ−１）
　「コンパクトディスク［Compact Disc］直径１２ｃｍまたは８ｃｍの光ディスクに，音楽などのデータをデジタル化して記録したもの。一般にＣＤと呼ばれる。・・・ディスク内部の小さな凹凸（ピット）にレーザー光線を当ててデータを読み取る。」（甲第９号証の１）
（ｉ−２）
　「ＣＤ−Ｒ［CD Recordable］１回限りの記録ができる書き込みＣＤ。追記は可能だが，消去は不可能。１９８９年にソニーとオランダのフィリップスが発表した「オレンジ・ブック」で規定されている。有機色素をコーティングしたディスクにレーザー光を照射すると，ピットが形成され，情報が書き込まれる。書かれたＣＤ−ＲはＣＤ，ＣＤ−ＲＯＭと同等メディアとなり，それぞれの再生装置で読むことができる。」（甲第９号証の２）
　
（ｊ）甲第１０号証
　請求人が甲第１０号証として提出した，２００８年１月１１日に発行されたと認められる刊行物である「広辞苑（第６版）」の抜粋によれば，同刊行物には，次の事項が記載されている。 
（ｊ−１）
　「《粗》ざらざらしてなめらかでない」
　
（２）本件特許発明１について 
　本件特許発明１と甲１発明を対比する。
　甲１発明の「記録媒体用ディスク１００」，「保持板２」，「カバー体３」及び「保持板２の上面」は，それぞれ本件特許発明１の「情報記録ディスク（１００）」，「第１ケース体（２）」，「第２ケース体（３）」及び「第１ケース体（２）の内面（２ｂ）」に相当する。甲１発明は，保持板２の上面に設けられた中央載置部６と外周載置部７が，記録媒体用ディスク１００の記録面１０２側に対し，その記録領域を除く部分に当接可能なものであるから，本件特許発明１の「情報記録ディスク（１００）の情報記録面（１０２）側を覆う第１ケース体（２）」との要件を備え，また，甲１発明は，保持板２とカバー体３とによって記録媒体用ディスク１００の両面を覆う収納状態とすることができるものであるから，本件特許発明１の「第１ケース体（２）との間に情報記録ディスク（１００）を収納すべく前記情報記録面の反対面を覆う第２ケース体（３）とを有しており」との要件を備える。
　したがって，両者は，「情報記録ディスク（１００）の情報記録面（１０２）側を覆う第１ケース体（２）と，この第１ケース体（２）との間に情報記録ディスク（１００）を収納すべく前記情報記録面の反対面を覆う第２ケース体（３）とを有しており，前記第１ケース体（２）及び第２ケース体（３）は共に透明な材料によって形成され，前記第１ケース体（２）の内面（２ｂ）に，情報記録ディスク（１００）の中央孔（１０１）に嵌る保持部（５）と，この保持部（５）を囲むリング形状となって隆起した中央載置部（６）と，この中央載置部（６）を囲むリング形状となって隆起した外周載置部（７）と，情報記録ディスク（１００）の外周面を覆う部分に突出形成した円弧状壁（２３）と，周縁部に突出形成した周壁（２２）とが設けられる情報記録ディスクの収納ケース。」の点で一致し，次の点で相違する。
［相違点１］ 
　本件特許発明１の収納ケースに収納される情報記録ディスク（１００）は，情報記録面（１０２）側に有機色素が塗布されたものであり，第１ケース体（２）の内面（２ｂ）又は外面（２ｃ）には，該情報記録面（１０２）に当たる光を実質的に減少させるための微細な凹凸が形成されているのに対して，甲１発明の収納ケースに収納される記録媒体用ディスク１００は，記録面１０２側に有機色素が塗布されたものであるか否か不明であり，保持板２の上面又は下面には微細な凹凸が形成されていない点。
　
　相違点１について検討する。甲第２号証には，ＣＤ−Ｒ等の光ディスクを収納するディスクケースにおいて，ケース本体２の底板３を透明（無色透明）または半透明（有色透明）な樹脂材料で構成するとともに，底板３の上面または下面を粗面化することにより，外光の光ディスクへの照射光量を減少させ，光ディスクの記録面を保護することが記載されている（記載事項ｂ−１及びｂ−２参照）。ここで，甲第９号証の２によれば，ＣＤ−Ｒは，書き込みが可能なコンパクトディスクであって，記録面に有機色素がコーティングされたものであることが，本件特許の出願前において技術常識として知られていたことが窺われる（記載事項ｉ−２参照）。したがって，甲１の収納ケースを，記録面に有機色素がコーティングされたＣＤ−Ｒの収納に適したものとなるよう，保持板２の上面又は下面を粗面化すること，すなわち相違点１は，甲第２号証及び技術常識を参酌することにより，当業者が容易に想到し得たことである。
　
（３）本件特許発明２について 
　本件特許発明２と甲１発明を対比すると，前記相違点１で相違するほか，次の点で相違する。
［相違点２］
　本件特許発明２の第１ケース体（２）及び第２ケース体（３）は，共に有色透明材料によって形成されているのに対して，甲１発明の保持板２及びカバー体３は，透明材料によって形成されるものの，有色か無色かは特定されていない点。
　
　相違点１については既に述べたので，相違点２について検討する。甲第２号証には，ケース本体２の底板３は，半透明（有色透明）な樹脂材料で構成することができること，そして，蓋体８は，内部の視認性を確保するために，半透明（有色透明）な樹脂材料で構成することが好ましいことが記載されている（記載事項ｂ−２及びｂ−３参照）。この「底板３」及び「蓋体８」は，それぞれ本件特許発明２の「第１ケース体（２）」及び「第２ケース体（３）」に相当するものであるから，甲１発明の保持板２及びカバー体３を有色透明材料によって形成すること，すなわち相違点２は，甲第２号証を参酌することにより，当業者が容易に想到し得たことである。
　
（４）本件特許発明３について 
　本件特許発明３と甲１発明を対比すると，前記相違点１で相違するほか，次の点で相違する。
［相違点３］
　本件特許発明３は，第１ケース体（２）の内面（２ｂ）又は外面（２ｃ）に形成される微細な凹凸は，第１ケース体（２）を成形するための成形型に形成された凹凸が転写されたものであるのに対して，甲１発明は，保持板２の上面又は下面に微細な凹凸が形成されておらず，凹凸の形成方法とは関わりがない点。
　
　相違点１については既に述べたので，相違点３について検討する。金型を用いて成形される製品の表面にシボ加工を施したり，微細な凹凸を形成して粗面とするために，金型に形成したシボ面や凹凸面を製品に転写することは，甲第３号証ないし甲第７号証に示されるように，従来からよく知られた周知技術である。甲１発明において，保持板２の上面又は下面を粗面化することは，甲第２号証及び技術常識を参酌することにより当業者が容易に想到し得たことは既に述べたところであり，甲１発明の保持板２は，金型を用いて成形されるものであるから，保持板２の上面又は下面を粗面化するに際して，金型に形成した凹凸面を製品に転写すること，すなわち相違点３は，上記周知技術を参酌することにより，当業者が適宜なし得た事項に過ぎない。
　
（５）小括
　以上のとおりであるから，本件特許発明１及び２は，甲第１号証，甲第２号証及び技術常識を参酌することにより，当業者が容易に発明することができたものであり，また，本件特許発明３は，甲第１号証，甲第２号証，甲第３号証ないし甲第７号証に示される周知技術及び技術常識を参酌することにより，当業者が容易に発明することができたものである。
　
第５　むすび 
　以上のとおり，本件特許発明１ないし３はいずれも，特許法第２９条第２項の規定に違反して特許されたものであり，その特許は，特許法第１２３条第１項第２号に該当し，無効とすべきものである。
　そして，審判に関する費用については，特許法第１６２条第２項の規定で準用する民事訴訟法第６１条の規定により，被請求人が負担すべきものである。
　よって，結論のとおり審決する。